(57)【要約】【課題】回転多面鏡３の回転軸１５の傾きのより正確な調整が可能な光学走査装置を提供する。【解決手段】光学箱２５と、光学箱２５の底面に固定される回路基板５と、レーザユニット１から出射されたレーザ光を被走査面に偏向走査するように回転可能に回路基板５に設けられる回転多面鏡３と、備える光学走査装置において、回路基板５が光学箱２５に固定された後に、回転多面鏡３の回転軸１５の傾きが変化するように回転軸１５又は回路基板５に設けられ回転軸１５を軸支する軸受１４を押圧する押圧力を発生させることにより回転軸１５の傾きを調整可能な調整手段を有することを特徴とする。【選択図】図４
2013171256.tif 000002
【特許請求の範囲】
【請求項１】
筐体と、
前記筐体の底面に固定される基板と、
光源から出射されたレーザ光を被走査面に偏向走査するように回転可能に前記基板に設けられる回転多面鏡と、
を備える光学走査装置において、
前記基板が前記筐体に固定された後に、前記回転多面鏡の回転軸の傾きが変化するように前記回転軸又は前記基板に設けられ前記回転軸を軸支する軸受を押圧する押圧力を発生させることにより前記回転軸の傾きを調整可能な調整手段を有することを特徴とする光学走査装置。
【請求項２】
前記回転軸又は前記軸受は、前記基板の前記回転多面鏡が設けられる側の面とは反対側の面から突出する突出部を有しており、
前記筐体は、前記調整手段を取り付けるための固定部を有しており、
前記調整手段は、弾性部材であって、前記突出部と前記固定部との間に弾性力を発生させるように前記突出部と前記固定部との間に取り付けられることで前記押圧力を発生させることを特徴とする請求項１に記載の光学走査装置。
【請求項３】
前記固定部は、前記調整手段を係止可能な突起であって、前記押圧力が働く向きを選択的に変更できるように前記回転軸の周方向に複数設けられることを特徴とする請求項２に記載の光学走査装置。
【請求項４】
前記固定部は、前記調整手段を係止可能な切欠きであって、前記押圧力が働く向きを選択的に変更できるように前記回転軸の周方向に複数設けられることを特徴とする請求項２に記載の光学走査装置。
【請求項５】
前記調整手段は、前記押圧力が働く位置を前記回転軸の軸方向に変更することによって、前記回転軸の傾きの調整量を変更可能であることを特徴とする請求項２乃至４のいずれか１項に記載の光学走査装置。
【請求項６】
前記回転軸又は前記軸受は、前記突出部に前記調整手段を係止するための縮径部又は拡径部を有していることを特徴とする請求項２乃至５のいずれか１項に記載の光学走査装置。
【請求項７】
前記調整手段は、前記固定部に対する係止位置を前記回転軸の軸方向に変更することで前記押圧力の大きさを変更できるように構成されていることを特徴とする請求項２乃至６のいずれか１項に記載の光学走査装置。
【請求項８】
前記回転軸及び前記軸受は、前記調整手段による前記回転軸の傾きの調整の前後において、前記筐体と非接触であることを特徴とする請求項２乃至７のいずれか１項に記載の光学走査装置。
【請求項９】
前記調整手段が、前記回転軸若しくは前記軸受又は前記固定部の少なくとも一方に接着剤によって固定されていることを特徴とする請求項２乃至８のいずれか１項に記載の光学走査装置。
【発明の詳細な説明】
【技術分野】
【０００１】
本発明は、画像形成装置が備える光学走査装置に関するものである。
【背景技術】
【０００２】
画像形成装置が備える光学走査装置としては、各光学部品を光学箱に収容する構成を採用するものが知られている。光学部品としては、レーザ光を出射する光源、レーザ光を偏向する回転多面鏡及び回転多面鏡を制御駆動するための回路基板を備える光偏向装置などがある。画像形成装置は、この光学走査装置から出射されるレーザ光を感光ドラムの被走査面に走査することにより静電潜像を形成し、さらに感光ドラムに現像剤としてのトナー等を供給することにより画像を形成する。
ここで、回転多面鏡の回転軸の軸倒れが生じると、被走査面への走査位置がずれてしまい形成される画像品質を悪化させることになってしまう。
そこで、回転多面鏡の回転軸の軸倒れを補正する手段として、特許文献１が開示されている。以下、図１５を用いて、特許文献１に開示される軸倒れを補正するための構成について説明する。図１５に示すように、特許文献１に開示される光偏向装置３０１は、回転多面鏡の回転軸３０２、回転軸３０２を軸支する突起部（軸受）３０３、回路基板３０４を備えている。そして、突起部３０３が、回路基板３０４にかしめて固定されており、光学箱３０５に嵌合されている。光学箱３０５には、突起部３０３と点接触することによって、回転軸３０２の軸倒れを補正する方向に付勢する嵌合部３０６が設けられている。この嵌合部３０６が突起部３０３を付勢することによって、回路基板３０４のかしめ部３０７を変形させて、回転軸３０２の軸倒れを補正している。
【先行技術文献】
【特許文献】
【０００３】
【特許文献１】特開２００８−１４５９５２号公報
【発明の概要】
【発明が解決しようとする課題】
【０００４】
特許文献１においては、光偏向装置３０１が備える突起部３０３と光学箱の嵌合部３０６とを点接触させ、回転軸３０２の軸倒れの補正した後に、回路基板３０４を光学箱３０５にビス締結し、光偏向装置３０１を光学箱３０５に固定している。したがって、ビス締結による応力やトルクによって点接触の状態が変化してしまうことが懸念される。すなわち、回転軸３０２の軸倒れを補正した後にビス締結を行うため、点接触において生じる荷重の大きさや方向に変化が生じ、回転軸３０２の軸倒れの補正の量と方向についての調整が不安定になる可能性がある。
【０００５】
そこで、本発明は、回転多面鏡の回転軸の傾きのより正確な調整が可能な光学走査装置を提供することを目的とする。
【課題を解決するための手段】
【０００６】
本発明は、筐体と、前記筐体の底面に固定される基板と、光源から出射されたレーザ光を被走査面に偏向走査するように回転可能に前記基板に設けられる回転多面鏡と、を備える光学走査装置において、前記基板が前記筐体に固定された後に、前記回転多面鏡の回転軸の傾きが変化するように前記回転軸又は前記基板に設けられ前記回転軸を軸支する軸受を押圧する押圧力を発生させることにより前記回転軸の傾きを調整可能な調整手段を有することを特徴とする。
【発明の効果】
【０００７】
本発明によれば、回転多面鏡の回転軸の傾きのより正確な調整が可能な光学走査装置を提供することができる。
【図面の簡単な説明】
【０００８】
【図１】本実施例に係る光学走査装置の光学的な構成を示す斜視図
【図２】実施例１に係る光偏向装置の内部構成を示す断面図
【図３】実施例１において光偏向装置を光学箱に取り付ける様子を示す斜視図
【図４】実施例１に係る光学走査装置の底面斜視図
【図５】実施例１に係る光学走査装置の変形例を示す底面斜視図
【図６】実施例１に係る光学走査装置の断面図
【図７】軸倒れ量と荷重の関係について示す図
【図８】実施例１に係る光学走査装置の断面図
【図９】実施例１に係る光偏向装置の変形例の側面図
【図１０】実施例２に係る光学走査装置の断面図及び底面図
【図１１】実施例２に係る光偏向装置の断面図
【図１２】実施例２に係る光学走査装置の変形例の底面図
【図１３】実施例３において光偏向装置を光学箱に取り付ける様子を示す斜視図
【図１４】実施例３に係る光学走査装置の構成について説明する図
【図１５】従来例に係る光学走査装置の断面図
【発明を実施するための形態】
【０００９】
（光学走査装置の概略構成）
まず、図１を用いて、本実施例に係る光学走査装置の概略構成について説明する。図１は、本実施例に係る光学走査装置の光学的な構成を示す斜視図である。なお、本実施例に係る光学走査装置は、電子写真プリンタ、デジタル複写機、デジタルＦＡＸ等の画像形成装置に用いられる。
【００１０】
本実施例に係る光学走査装置は、図１に示すように、主な構成要素として、光源としてのレーザユニット１、光偏向装置２、Ｆθレンズ８、折り返しミラー９、ＢＤミラー１１、ＢＤセンサ１２、シリンドリカルレンズ１３を備えている。これらの部品は、筐体としての光学箱に所定の光学的必要性能に応じて高精度に組み付けられている。なお、レーザユニット１を光源装置と呼び替え、光偏向装置２をスキャナモータユニットと呼び替えてもよい。
【００１１】
次に、本実施例に係る光学走査装置の動作について説明する。まず、レーザユニット１が、レーザ光Ｌを出射し、コリメートレンズ（不図示）を通過する。このコリメートレンズを通過したレーザ光（以下、コリメート光という）Ｌは、シリンドリカルレンズ１３を通過し、光偏向装置２によって偏向される。その後、偏向されたコリメート光Ｌは、Ｆθレンズ８を通過し、折り返しミラー９によって反射され、最終的に画像形成装置に備えられる被走査体としての感光ドラム１０の被走査面に到達する。この際、コリメート光Ｌは、Ｆθレンズ８によって、感光ドラム１０の長手幅内で最適に絞り込まれている。なお、図１中の一点鎖線は感光ドラム１０の被走査面に走査されるコリメート光Ｌを表すものである。
【００１２】
また、光偏向装置２によって偏向されたコリメート光Ｌの一部は、ＢＤミラー１１によって反射されて、ＢＤセンサ１２に入射する。そして、コリメート光Ｌを検知したＢＤセンサ１２が、レーザユニット１の制御部（不図示）に出力信号を送信する。その出力信号を受信した前記制御部が、レーザユニット１を制御して、出力信号を基準に主走査方向（感光ドラム１０の長手方向）の走査線の位置のずれを抑制している。なお、図１中の二点
鎖線はこのＢＤセンサ１２に入射されるコリメート光Ｌを表すものである。
【００１３】
シリンドリカルレンズ１３は、光偏向装置２の反射面の倒れ（いわゆる面倒れ）誤差による感光ドラム１０上の副走査方向の走査線の位置ずれを抑制するために用いられている。なお、ここで副走査方向とは、主走査方向に直交する方向であって、用紙等の転写材を送る方向を指す。ここで、シリンドリカルレンズ１３によってレーザユニット１から取り出されたレーザ光を光偏向装置２の反射面上では副走査方向に圧縮して結像した線像とする。これにより、光偏向装置２の反射面と感光ドラム１０の被走査面が副走査方向では共役関係となるいわゆる面倒れ補正光学系を具備した構成がとられている。
【００１４】
光学走査装置が上記のような動作をすることで、帯電された感光ドラム１０上にレーザ光Ｌが照射され静電潜像が形成される。そして、その静電潜像にトナー等の現像剤が供給されることによって画像が形成されることとなる。ここで、レーザ光Ｌを反射して偏向する回転多面鏡の回転軸に傾きが生じると、被走査面への走査位置がずれてしまい、形成される画像品質を悪化させることになってしまう。したがって、回転多面鏡の回転軸に傾きが生じた場合は、その補正をすることが望まれる。以下、回転多面鏡の回転軸の軸倒れを調整し補正するための各実施例の構成について説明する。
【００１５】
（実施例１）
次に、図１及び図２を用いて、実施例１に係る光学走査装置に備えられる光偏向装置２について説明する。図２は、実施例１に係る光偏向装置の内部構成を示す断面図である。実施例１に係る光偏向装置２は、回転軸１５を回転中心として回転可能の設けられる回転多面鏡３、回転多面鏡３を取り付けた回転体であるロータ４、略長方形の板状の回路基板５、回転軸１５を軸支する軸受１４、支持部材１６を備えている。この回転多面鏡３が、レーザユニット１から出射されたレーザ光Ｌを反射することで感光ドラム１０の被走査面に偏向走査する。
【００１６】
また、光偏向装置２は、回路基板５に固定されたステータコア１９及びステータコイル２０を有するステータ２１、弾性体２２、固定リング２３を備えている。また、ロータ４は、回転軸１５と一体である支持部材１６にかしめ等で一体的に結合されたヨーク１７及びロータマグネット１８を備えている。支持部材１６は、回転軸１５の外周に圧入又は焼嵌め等の方法で固定された真鍮又はアルミ等からなる金属部材である。回転多面鏡３は、弾性体２２と固定リング２３によって支持部材１６に押圧固定され、回転軸１５及びロータ４等と一体的に回転する。また、回路基板５の回転多面鏡３が設けられる側の面の反対側の面において軸受１４が突出している。この軸受１４の突出した部分を突出部とする。また、図１に示すように、回路基板５は、光偏向装置２を駆動するための駆動用ＩＣ６、外部と電気的に結線されるコネクタ７等を実装している。
【００１７】
次に、図３を用いて、実施例１に係る光偏向装置２の光学箱２５への固定手段について説明する。図３は、実施例１に係る光学走査装置の斜視図であって、光偏向装置を光学箱に固定する様子を示す図である。図３において、回転多面鏡３の回転軸１５の軸方向をｚ軸方向とする。また、ｚ軸に直交する方向であって平面形状が略長方形の回路基板５の長手方向をｘ軸方向、ｚ軸に直交する方向であって平面形状が略長方形の回路基板５の短手方向をｙ軸方向とする。また、図３中のｘ軸、ｙ軸、ｚ軸を示す矢印が向いている方向を各軸方向の正の方向とする。
【００１８】
図３に示すように、回路基板５に設けられたビス孔２４にビス２６を挿入し締結することによって、光偏向装置２を光学箱２５の底面に固定することができる。光学箱２５の底面には、ビス締結するための円形の座面２７が回路基板５のビス孔２４に対応して設けられている。そして、実施例１においては、このように光偏向装置２が光学箱２５に固定さ
れた後に、下記で説明する板ばね２９が光学箱２５の外部から取り付けられることとなる。
【００１９】
光学箱２５の底面には貫通孔２８が設けられており、光偏向装置２の回路基板５の裏面から突出する軸受１４の突出部が挿入される。ただし、貫通孔２８の内径は、軸受１４の外径よりも十分に大きく、軸受１４を貫通孔２８に挿入した状態において隙間を有することとなるため、軸受１４を光学箱２５に対して嵌合させて位置決めをすることは出来ない。このため、光偏向装置２の位置決めは、光学箱２５に設けられる不図示の位置決めピンにより、光偏向装置２の回路基板５の端面を沿わせることによって行う。もしくは、不図示の工具に対して回転多面鏡３の回転中心を位置決めしてもよく、光偏向装置２の光学箱２５に対する位置決め方法はひとつに限定されるものではない。
【００２０】
次に、図４、図５を用いて、実施例１に係る光学走査装置の特徴である回転軸１５の傾きの調整について説明する。図４は、実施例１に係る光学走査装置の底面斜視図である。図５は、実施例１の変形例を示す底面斜視図である。なお、図３と同様に、図４、図５中のｘ軸、ｙ軸、ｚ軸を示す矢印が向いている方向を各軸方向の正の方向とする。
【００２１】
図４に示すように、光学箱２５は、回転軸１５の傾きの調整の方向を選択的に変更できるように、貫通孔２８の周方向に複数の固定部３１（３１ａ、３１ｂ、３１ｃ、３１ｄ、３１ｅ、３１ｆ、３１ｇ、３１ｈ）を等間隔に有している。実施例１において、固定部３１は、突起であって、樹脂からなる光学箱２５と一体成形されている。なお、固定部３１は、光学箱２５と一体成形されているものに限らず、金属部材等を光学箱２５に圧入して設けるもの等であってもよい。
【００２２】
実施例１において、固定部３１は、光学箱２５の底面外壁から５〜１０ｍｍ程度突起した形状をしている。そして、実施例１においては、回転軸１５の傾きを調整可能な調整手段としての弾性部材である板ばね２９が用いられる。固定部３１は、この板ばね２９を係止可能に光学箱２５から突起している。また、板ばね２９は、その両端に固定部３１に引っ掛けるための曲げ３２が設けられている。また、軸受１４は、板ばね２９を係止するための拡径部を有している。具体的には、図４に示すように、光学箱２５の貫通孔２８から外部に突出した軸受１４の突出部の先端には、軸受１４の板ばね２９が係止される部分の外径よりも１ｍｍ程度太い外径の係止爪３３が設けられている。なお、板ばね２９を係止することが可能であれば、拡径部に限らず、縮径部を軸受１４に設ける構成でもよい。
【００２３】
図４に示すように、板ばね２９は、光偏向装置２の回路基板５を光学箱２５にビス締結し固定した後に、光学箱２５の外部から、固定部３１と軸受１４との間に弾性力を発生させるように押圧しつつ取り付けられる。このように、板ばね２９を取り付けることにより、軸受１４に押圧力が発生し、荷重Ｐ１をかけることができ、光偏向装置２を光学箱２５にビス締結し固定した後に、回転多面鏡３の回転軸１５の傾きの調整をすることが可能となる。実施例１においては、図４に示すように、ｘ軸の正の方向に荷重Ｐ１をかけるために固定部３１ａ、固定部３１ｅ及び軸受１４に板ばね２９を押圧しつつ取り付けた。
【００２４】
なお、図４においては、板ばね２９による押圧方向がｘ軸の正方向となるような構成としたが、板ばね２９の固定部３１への取り付け方はこれに限らず、複数設けられる固定部３１のいずれかを選択することで、その押圧方向を変えることができる。例えば、図５に示すように、固定部３１ｃと固定部３１ｇを選択し、それらを押圧するように板ばね２９を取り付ければ、押圧力が働く方向をｙ軸の負方向として荷重Ｐ１をかけることができる。
【００２５】
次に、図６、図７を用いて、回転多面鏡３の回転軸１５の傾きの補正について具体的に
説明する。図６は、実施例１に係る光学走査装置の断面図である。図７は、回転軸の軸倒れ量と軸受への荷重の関係について示す図である。ここで、図６に示すように、光偏向装置２を光学箱２５にビス締結し固定した状態において、回転多面鏡３の回転軸１５に軸倒れがｘ軸の正方向に対してθ発生しているとする。この場合、軸受１４の突起部をｘ軸方向の正の方向に押圧することで、回転軸１５の傾きを補正することができる。ずなわち、図４に示すように、固定部３１ａと３１ｅの２点を選択し、板ばね２９を取り付けて軸受１４を押圧する。上記のように板ばね２９を取り付けると、剛性の低い回路基板５と軸受１４の接合部近傍３０（図６参照）に微小の撓みが生じ、軸受１４が傾き、回転軸１５の傾きは所望の値に補正される。
【００２６】
また、回転軸１５の傾きの調整量に関しては、あらかじめ弾性係数が異なる複数個の板ばねを用意しておき、その中から適切な板ばねを選択することにより調整すればよい。実施例１においては、約１．２ｋｇｆの荷重の板ばねを選択した。なお、本発明の発明者の検討により軸受１４への荷重と軸倒れ量との関係は図７に示すように相関関係があることがあらかじめ分かっている。
【００２７】
また、軸受１４に対して押圧力が発生する回転軸１５の軸方向（ｚ軸方向）における位置を変えることによって、回転軸１５の傾きの調整量を変更可能することもできる。この点については、以下、図８及び図９を用いて具体的に説明する。図８は、実施例１に係る光学走査装置の断面図であって、図８（ａ）において、軸受の付け根から遠い位置において板ばねが軸受に当接するもの、図８（ｂ）において、軸受の付け根から近い位置において板ばねが軸受に当接するものを示す。図９は、実施例１に係る光偏向装置の変形例の側面図である。
【００２８】
図８（ａ）に示すように、軸受１４の付け根から距離ｌ１の位置に板ばね２９により荷重Ｐ２をかけた場合と、図８（ｂ）に示すように、軸受１４の付け根から距離ｌ２（ｌ１＞ｌ２）の位置に同じ弾性力の板ばね２９により荷重Ｐ２をかけた場合について比較する。この場合、図８（ｂ）に示すように軸受１４の付け根から距離が短い場合の方が、回転軸１５と回路基板５の接合部周りのモーメントは小さくなる。すなわち、図８（ｂ）に示すように軸受１４の付け根から距離が短い場合の方が、図８（ａ）に示すように軸受１４の付け根から距離が長い場合に比較して、回転軸１５の傾きの調整量が小さくなる。このように、同じ板ばね２９を用いて回転軸１５の傾を微調整したい場合には、板ばね２９の軸受１４に対する押圧する位置を回転軸１５の軸方向（ｚ軸方向）において変更すればよい。
【００２９】
その後、所望の位置に取り付けた板ばね２９を軸受１４又は固定部３１のいずれか少なくとも一方に接着剤を用いて接着することで、落下等による外部からの衝撃により板ばね２９がｚ軸方向にずれてしまうことを防止することができる。また、板ばね２９のｚ軸方向におけるずれを防止するため、図９に示すように、軸受７０の中程に係止部としての係止爪７１を設けてもよい。このように、係止爪７１を設けることで、板ばね２９を係止しｚ軸方向におけるずれを抑制することができる。
【００３０】
以上説明したように、実施例１に係る光学走査装置においては、回路基板５が光学箱２５にビス締結された後に、回転多面鏡３の回転軸１５の傾きを調整し補正することができる。また、用いる板ばねの荷重や板ばねを取り付ける位置を適宜変更することによって、回転軸１５の傾きの調整の量や向きを変更することができる。また、光学箱２５の底面に設けられる貫通孔２８の内径は、軸受１４の外径に対して十分に大きい。したがって、回転軸１５の傾きの調整の前後において、軸受１４と光学箱２５は非接触であり、軸受１４に働く押圧力は光学箱２５に直接は伝わらない。すなわち、軸受１４と貫通孔２８を嵌合させた場合と比較して、荷重に対する回転軸１５の傾きの大きさが大きくなるため、小さ
い荷重で軸倒れを補正することができる。
【００３１】
（実施例２）
図１０乃至図１２を用いて、実施例２に係る光学走査装置について説明する。図１０は、実施例２に係る光学走査装置の引張りコイルばねを取り付ける手段について説明する図であって、図１０（ａ）は断面図、図１０（ｂ）は底面図である。図１１は、実施例２に係る光偏向装置の断面図である。図１２は、実施例２に係る光学走査装置の変形例の底面図である。なお、実施例１と同一の構成については、同一の符号を用いてその説明を省略する。
【００３２】
実施例１においては、光偏向装置２の回路基板５の裏面から突出する回転軸１５を軸支する軸受１４が、光学箱２５の底面に設けられる貫通孔２８に挿入される構成を用いた。これに対して、実施例２においては、図１０（ａ）に示すように、光偏向装置２の回路基板５の裏面から突出する回転軸３５の突出部が光学箱２５の貫通孔２８に挿入される構成を用いる。すなわち、実施例２に係る光偏向装置においては、回転軸３５が直接に貫通孔２８を貫通し光学箱３７の外側に突出する構成をとる。そして、図１１に示すように、回転軸３５は回路基板６０に垂直に固定されており、軸受６１が回転する構成となっている。また、実施例１においては、回転軸１５の傾きを調整するために板ばね２９を用いたが、実施例２においては、調整手段として両端にフックを備える引張りコイルばね３９を用いる。
【００３３】
実施例２においては、光偏向装置３６の回路基板６０を光学箱３７にビス締結し固定した後、光学箱３７の外側に突出した回転軸３５の突出部と、光学箱３７に備えられる固定部３８に弾性部材である引張りコイルばね３９を取り付ける。図１１に示すように、回転軸３５は、引張りコイルばね３９のフックを掛けるための係止溝４０を有している。そして、光学箱３７に備えられる固定部３８は、引張りコイルばね３９のフックが掛かる係止爪４１を有している。また、実施例１と同様に、光学箱３７に設けられる貫通孔２８の内径は回転軸３５の外径よりも十分に大きく、回転軸３５は隙間を有して挿入されている。
【００３４】
次に、実施例２における回転多面鏡３の回転軸３５の傾きの調整について説明する。光偏向装置２を光学箱３７にビス締結し固定した後に、引張りコイルばね３９の一方のフックは回転軸３５に、他方のフックは光学箱３７に設けられた固定部３８に取り付けられる。この時、回転軸３５の係止溝４０と固定部３８の係止爪４１によって、引張りコイルばね３９は係止される。
【００３５】
図１０（ｂ）に示すように、引張りコイルばね３９を取り付けることにより、回転軸３５を引張りコイルばね３９を取り付けた固定部３８と対向する方向に引張る荷重Ｐ３を発生させることができる。さらに、複数の引張りコイルばね３９を同時に取り付けることにより、回転軸３５にかかる荷重の大きさと方向を調整することができる。例えば、図１２に示すように、２つの引張りコイルばね３９を同時に取り付ければ、異なる２方向にかかる荷重Ｐ３の合力である荷重Ｐ４を回転軸３５にかけることができる。この場合、荷重Ｐ４は、各荷重Ｐ３が働く２方向の間の角度を２分割した角度に働く力となる。すなわち、複数の引張りコイルばね３９を同時に取り付けることで、回転軸３５にかかる荷重の方向を回転軸３５と固定部３８が対向する方向に限ることなく調整することが可能となる。
【００３６】
以上説明したように、実施例２に係る光学走査装置においては、引張ばねコイル３９を用いて、回路基板６０が光学箱３７にビス締結された後に、回転多面鏡３の回転軸３５の傾きを調整し補正することができる。また、回転軸３５の周方向に複数設けられる固定部３８のいずれに引張コイルばね３９を取り付けるかを選択して、回転軸３５に働く荷重の方向を変更することができる。また、複数の引張りコイルばね３９を同時に取り付けるこ
とにより、回転軸３５にかかる荷重の大きさと方向を調整することができる。また、回転軸３５の係止溝４０と固定部３８の係止爪４１によって、引張りコイルばね３９を係止し、回転軸３５方向における位置ずれを抑制できる。
【００３７】
（実施例３）
次に、図１３及び図１４を用いて、実施例３に係る光学走査装置について説明する。図１３は、実施例３に係る光学走査装置の斜視図であって、光学箱に光偏向装置を取り付ける様子を示す図である。図１４は、実施例３に係る光学走査装置の構成について説明する図であって、図１４（ａ）は、光学走査装置の断面図、図１４（ｂ）は、弾性部材の斜視図である。なお、実施例１と同一の構成については、同一の符号を用いてその説明を省略する。
【００３８】
実施例１においては、光学箱２５の底面に突起する固定部３１を設ける構成を採用したが、これに対し、実施例３においては、光学箱４４に設けられる貫通孔４５の周方向に等間隔に固定部としての切欠き４６を設ける構成を採用する。また、実施例１と同様に、光学箱４４に設けられる貫通孔４５の内径は軸受４３の外径よりも十分に大きく、軸受４３は貫通孔４５に対して十分に隙間を有して挿入されている。また、実施例１においては、調整手段として板ばね２９を用いたが、実施例３においては、調整手段としてくさび型の弾性部材４７を用いる。
【００３９】
くさび型の弾性部材４７は、光偏向装置２を光学箱４４にビス４８を締結し固定した後、光学箱４４の外側から切り欠き４６に押し込まれ取り付けられる。このように、弾性部材４７を押し込むことにより、軸受４３に荷重Ｐ５をかけることができ、光偏向装置４２を光学箱４４にビス締結し固定した後に、回転多面鏡３の回転軸４９の傾きを調整することが可能となる。なお、弾性部材４７に係止爪を設けて、切欠き４６に係止孔を複数設ける構成であってもよい。
【００４０】
図１４（ｂ）に示すように、弾性部材４７には、くさび型の片方の面に等間隔の複数の係止孔５１が設けられている。これに対して、光学箱４４に設けられた切欠き４６の外壁の一部には、弾性部材４７が押し込まれた際の位置を維持するために、係止爪５０が設けられている。このような構成によって、切欠き４６に対する弾性部材４７の係止位置を回転軸４９の軸方向に変更すること、すなわち使用する係止孔５１の位置を任意に選択し押し込む量を変化させることで、軸受４３に対する押圧力の大きさを変更することが可能となっている。また、このように係止爪５０が係止孔５１に取り付けることによって、落下等による外部からの衝撃荷重が加わった場合にでも、弾性部材が外れてしまうことを抑制することができる。
【００４１】
以上説明したように、実施例３に係る光学走査装置においては、くさび型の弾性部材４７を用いて、回路基板８０が光学箱４４にビス締結された後に、回転多面鏡３の回転軸４９の傾きを調整し補正することができる。また、軸受４３の周方向に複数設けられる切欠き４６のいずれに弾性部材４７を押し込むかを選択して、軸受４３に働く荷重の方向を変更することができる。また、切欠き４６に対する弾性部材４７の係止位置を回転軸４９の軸方向に変更することで、軸受４３に対する押圧力の大きさを変更することができる。また、複数の弾性部材４７を同時に取り付けることで、回転軸４９に働く荷重の方向を回転軸４９と切欠き４６が対向する方向に限ることなく調整することが可能となる。
【符号の説明】
【００４２】
レーザユニット…１、光偏向装置…２、回転多面鏡…３、回路基板…５、回転軸…１５、光学箱…２５、弾性部材…２９、レーザ光…Ｌ
【図１】
2013171256.tif 000003
【図２】
2013171256.tif 000004
【図３】
2013171256.tif 000005
【図４】
2013171256.tif 000006
【図５】
2013171256.tif 000007
【図６】
2013171256.tif 000008
【図７】
2013171256.tif 000009
【図８】
2013171256.tif 000010
【図９】
2013171256.tif 000011
【図１０】
2013171256.tif 000012
【図１１】
2013171256.tif 000013
【図１２】
2013171256.tif 000014
【図１３】
2013171256.tif 000015
【図１４】
2013171256.tif 000016
【図１５】
2013171256.tif 000017